(57)【要約】【課題】伝送特性を劣化させずに光設備を識別することを可能とする。【解決手段】光ファイバＦは、光伝送路を構成する。光反射部２０−１〜２０−Ｎは、光ファイバＦ上の設備点に挿入される。これらの光反射部は格子構造を内蔵しており、当該格子構造は、挿入される設備点の情報に応じた特定波長の光を反射する構造となっている。光反射光分布測定器１０は、光反射部からの反射光を検出し、検出の有無に応じて設備点の情報を符号化し、当該設備点を識別する。【選択図】      図１
2011149807.tif 000002
【特許請求の範囲】
【請求項１】
光伝送路を構成する光線路と、
前記光線路上の設備点に挿入され、前記設備点の情報に応じた特定波長の光を反射する格子構造を具備する反射手段と、
前記反射手段からの反射光を検出し、検出の有無に応じて前記設備点の情報を符号化する測定手段と、
を具備する光設備識別システム。
【請求項２】
前記反射手段の格子構造は、前記設備点の情報に応じた複数の特定波長の光を反射するよう構成され、
前記測定手段は、前記複数の特定波長の反射光の検出の有無に応じて前記設備点の情報を符号化する請求項１に記載の光設備識別システム。
【請求項３】
前記反射手段の格子構造は、単一の格子に紫外線照射を重ねて行なって複数の反射波長を持たせた屈折率格子構造を含む請求項１に記載の光設備識別システム。
【請求項４】
光伝送路を構成する光線路上の設備点に挿入され、
前記設備点の情報に応じた特定波長の光を反射する格子構造を具備する反射装置。
【請求項５】
光伝送路を構成する光線路上の設備点を識別する光設備識別方法であって、
前記光線路上の設備点に挿入された反射手段によって、前記設備点の情報に応じた特定波長の光を反射し、
前記反射手段からの反射光を測定手段によって検出し、
検出の有無に応じて前記設備点の情報を符号化する、
光設備識別方法。
【請求項６】
前記反射手段の格子構造は、前記設備点の情報に応じた複数の特定波長の光を反射するよう構成され、
前記複数の特定波長の反射光の検出の有無に応じて前記設備点の情報が符号化される請求項５に記載の光設備識別方法。
【請求項７】
前記反射手段の格子構造は、単一の格子に紫外線照射を重ねて行なって複数の反射波長を持たせた屈折率格子構造を含む請求項５に記載の光設備識別方法。
【発明の詳細な説明】
【技術分野】
【０００１】
本発明は、光ファイバ線路上の設備構造を遠隔測定によって識別する光設備識別システム、光反射装置、及び光設備識別方法に関する。
【背景技術】
【０００２】
光ファイバや光導波路等の光線路上の設備構造を識別するための手法として、例えば特許文献１には、光伝送路の光識別構造が記載されている。特許文献１に記載の光識別構造によれば、光伝送路のクラッド領域に溝部を形成することで、識別のためのパルス光の反射構造が得られる。この反射光に基づいたコード化を行なうことで、ＯＴＤＲ（optical time-domain reflectometry）を用いた設備構造の識別が可能となる。
【先行技術文献】
【特許文献】
【０００３】
【特許文献１】特開平５−２８８９４０号公報（段落００２７）
【発明の概要】
【発明が解決しようとする課題】
【０００４】
しかしながら、特許文献１に記載されたように、切込みを入れたファイバからの反射光で符号化を行う手法では、通常の情報通信に用いる光も溝部で反射されてしまい、伝送損失が大きくなってしまう。このため、光線路の伝送特性が劣化しかねない。
本発明は、前記のような問題に鑑みなされたもので、伝送特性を劣化させずに光設備を識別することを可能とする光設備識別システム、反射装置、及び光設備識別方法を提供することを目的とする。
【課題を解決するための手段】
【０００５】
本発明に係る光設備識別システムは以下のような態様の構成とする。
（１）光伝送路を構成する光線路と、前記光線路上の設備点に挿入され、前記設備点の情報に応じた特定波長の光を反射する格子構造を具備する反射手段と、前記反射手段からの反射光を検出し、検出の有無に応じて前記設備点の情報を符号化する測定手段とを具備する態様とする。  
この態様によれば、特定波長の光のみが設備点で反射されるため、光線路の伝送特性を劣化させない。
【０００６】
（２）（１）の構成において、前記反射手段の格子構造は、前記設備点の情報に応じた複数の特定波長の光を反射するよう構成され、前記測定手段は、前記複数の特定波長の反射光の検出の有無に応じて前記設備点の情報を符号化する態様とする。  
この態様によれば、複数の特定波長を用いることで、設備点の情報をより細かく符号化することが可能になる。
【０００７】
（３）（１）の構成において、前記反射手段の格子構造は、単一の格子に紫外線照射を重ねて行なって複数の反射波長を持たせた屈折率格子構造を含む態様とする。  
この態様によれば、小型の格子構造によって、反射率の小さい反射を起こさせることが可能になる。
【０００８】
また、本発明に係る反射装置は以下のような態様の構成とする。  
（４）光伝送路を構成する光線路上の設備点に挿入され、前記設備点の情報に応じた特定波長の光を反射する格子構造を具備する態様とする。  
この態様によれば、特定波長の光のみが設備点で反射されるため、光線路の伝送特性を劣化させない。
【０００９】
また、本発明に係る光設備識別方法は以下のような態様の構成とする。  
（５）光伝送路を構成する光線路上の設備点を識別する光設備識別方法であって、前記光線路上の設備点に挿入された反射手段によって、前記設備点の情報に応じた特定波長の光を反射し、前記反射手段からの反射光を測定手段によって検出し、検出の有無に応じて前記設備点の情報を符号化する態様とする。  
この態様によれば、特定波長の光のみが設備点で反射されるため、光線路の伝送特性を劣化させない。
【００１０】
（６）（５）の構成において、前記反射手段の格子構造は、前記設備点の情報に応じた複数の特定波長の光を反射するよう構成され、前記複数の特定波長の反射光の検出の有無に応じて前記設備点の情報が符号化される態様とする。  
この態様によれば、複数の特定波長を用いることで、設備点の情報をより細かく符号化することが可能になる。
【００１１】
（７）（５）の構成において、前記反射手段の格子構造は、単一の格子に紫外線照射を重ねて行なって複数の反射波長を持たせた屈折率格子構造を含む態様とする。  
この態様によれば、小型の格子構造によって、反射率の小さい反射を起こさせることが可能になる。
【発明の効果】
【００１２】
本発明によれば、特定波長の光のみが設備点で反射されるため、伝送特性を劣化させずに光設備を識別することが可能となる。
【図面の簡単な説明】
【００１３】
【図１】本発明の一実施形態に係る光設備識別システムの構成の一例を概略的に示す図。
【図２】上記実施形態に係る光設備識別システムの構成の他の一例を概略的に示す図。
【図３】上記実施形態に係る１個の格子について、格子長Ｌと反射率Ｒの関係を示したグラフ。
【図４】上記実施形態における格子長Ｌと波長スペクトルの幅（反射波長幅）Δλの関係を示す図。
【図５】上記実施形態における反射率Ｒと反射波長幅Δλの関係を示す図。
【図６】上記実施形態における反射波長幅Δλと反射率Ｒの関係を示す図。
【図７】上記実施形態における光反射部の個数Ｎと反射光強度の関係を示す図。
【図８】上記実施形態において、符号化された設備情報の一例を示す図。
【発明を実施するための形態】
【００１４】
以下、図面を参照して本発明による光設備識別システムの実施形態を説明する。
図１は、本発明の一実施形態に係る光設備識別システムの構成の一例を概略的に示す図である。図１に示すように、本実施形態に係る光設備識別システムは、光反射光分布測定器１０、光線路Ｆ、及び光反射部２０−１、２０−２、…２０−ｎからなる。
【００１５】
光反射光分布測定器１０は、光反射部２０−１〜２０−ｎからの反射光の波長に応じた符号化を行い、光設備を識別する。光線路Ｆは、例えば光ファイバ等からなる光伝送路である。光線路Ｆの一端は光反射光分布測定器１０に接続されている。
光反射部２０−１、２０−２、…、２０−ｎのそれぞれは、特定の波長の光を反射する格子構造を内蔵しており、光線路Ｆ上で識別対象となる光設備の設置箇所に挿入される。光反射部２０−１〜２０−ｎがそれぞれのどの波長の入射光を反射するかは、対応する光設備の種類に応じて定められる。このため光反射光分布測定器１０は、光反射部２０−１〜２０−ｎからの反射波の波長に基づいて符号化を行ない、光設備の種類を識別することができる。あるいは、光設備の種類に限らず、他の設備識別情報に応じて反射波長が定められてもよい。
【００１６】
また、図２は、本実施形態に係る光設備識別システムの構成の他の一例を概略的に示す図である。図２においては、光反射部２０−２以降が４線路に分岐しており、それぞれの分岐路上に光反射部３０−１〜３０−４が設置されている。このように、光線路の分岐部に分岐部を示す光反射部が設置されると、光反射光分布測定器１０によって分岐点を識別することも可能となる。
【００１７】
次に、光反射部（２０−１〜２０−ｎ及び３０−１〜３０−４）の構成について説明する。本実施形態では、光反射部の一例として、屈折率の大きい部分と小さい部分から作成される格子状のＦＢＧ（Fiber Bragg Grating）を用いるものとする。
【００１８】
ＦＢＧは、光ファイバに紫外レーザ光を照射することにより、周期的な屈折率変化を持たせた光ファイバデバイスである。ＦＢＧは、周期に合致した特定の波長（反射波長）の入射光のみを反射し、他の波長の光を透過させる。ＦＢＧの反射波長λBと格子周期Λの間には式（１）のような関係が成り立つ。
【００１９】
【数１】
2011149807.tif 000003
式（１）において、ｎはファイバ格子内の平均屈折率である。また、ＦＢＧの反射率（入射光強度と反射光強度の比）Ｒと波長スペクトルの幅Δλについては、以下の式（２）及び式（３）が成り立つ。  
【００２０】
【数２】
2011149807.tif 000004
【００２１】
【数３】
2011149807.tif 000005
式（２）及び式（３）において、Ｌは格子の長さ、Δｎは格子を形成する２つの部分の屈折率差、ηはファイバを伝搬する光のエネルギーのうち、コアを伝搬するエネルギーの割合である。また、Δｎηの値は、屈折率格子の深さを表す。  
例えばＬ＝１ｃｍ、Δｎ＝０．０００３、η＝１とすると、反射波長がλB＝１．６５μｍのＦＢＧでは、Ｒ＝０．９９、Δλ＝０．５６ｎｍが得られる。
【００２２】
ＦＢＧは通常１ｃｍ以下の大きさに構成されており、また反射率の制御が可能である。ＦＢＧは、設定された波長の入射光のみを反射し、その他の波長の伝送特性は劣化させないため、波長フィルタなどに応用されている。このような格子構造を有するＦＢＧを光反射部として用いることで、反射率が充分小さく、サイズも小さい光反射部を構成することが可能となる。このため複数の光反射部２０−１〜２０−Ｎ（又は２０−１、２０−２、及び３０−１〜３０−４）を光線路上に設置した場合に、光反射光分布測定器１０から遠方に設置された光反射部からの反射光であっても測定することができる。
【００２３】
光反射部の格子長Ｌと反射率Ｒは、式（２）に基づいて設定することができる。一般的に、１反射部当たりの反射率が小さいほど、つまり、反射せずに各反射部を透過する光が多いほど、光反射光分布測定器１０から遠方に設置された光反射部からの反射光の劣化が小さい。従って、光反射部１個当たりの反射率は、線路上の反射部の数及び光反射光分布測定器１０の測定感度を考慮して調節することが望ましい。
【００２４】
また式（２）より、反射率Ｒの大きさと格子長Ｌの大きさには相関関係があることが分かる。従って、反射率Ｒが小さい光反射部ほど短い格子長Ｌ（例えば１ｍｍのオーダー）で作成することができる。
このため光反射部は、例えば光接続部（コネクタ）等のサイズが１ｃｍ以下である光設備の設置点にも挿入することができる。また、ＦＢＧ構造の光反射部は、設定された波長を有する入射光のみを反射するため、設備の識別の際には通信用の波長と異なる波長の光を入射させることにすれば、通信での伝送特性を劣化させずにすむ。
【００２５】
続いて、光反射部（２０−１〜２０−ｎ及び３０−１〜３０−４）の格子構造について、更に詳細に説明する。  
以下では、通信光の波長と異なる波長を持つ入射光を反射させるため、反射波長λＢ＝１６５０ｎｍとして設定した光反射部について、一例として説明する。
【００２６】
光反射部での格子長Ｌと反射率Ｒの関係は（式２）より計算することができる。  
図３は、１個の格子について、屈折率格子の深さΔｎηを変化させた場合の格子長Ｌと反射率Ｒの関係を示したグラフである。図３のグラフでは、横軸は格子長Ｌを、縦軸は反射率Ｒを表す。
【００２７】
図３において、グラフｃ１は、Δｎη＝０．０００１の場合の格子長Ｌと反射率Ｒの関係を示している。同様にグラフｃ２は、Δｎη＝０．０００５の場合の格子長Ｌと反射率Ｒの関係を示している。またグラフｃ３はΔｎη＝０．００１の場合、グラフｃ４はΔｎη＝０．００３の場合、グラフｃ５はΔｎη＝０．００５の場合の格子長Ｌと反射率Ｒの関係を示している。ただし、グラフｃ１〜ｃ５ではηの値は等しく（例えばη＝１）、屈折率変化Δｎの値が変化しているものとする。
【００２８】
図３に示すように、格子構造の反射率Ｒは、格子長Ｌが短い方が小さい。例えば１ｍｍ以下の格子長Ｌの格子では、屈折率変化Δｎを小さくすれば、−１０〜−３０ｄＢ程度の反射が生じることが分かる。格子構造の反射率Ｒの値は、格子構造の屈折率変化の大きさΔｎにも依存するが、例えば図３に示すように、Δｎηの値が小さい格子の方が反射率Ｒの値が全体的に小さい。
【００２９】
一般的に、２つの屈折率を利用した格子によるＦＢＧは、特定波長の光を全反射することを目的として作成されることが多い。このため、屈折率格子構造を紫外線の多重印加によって作成するには、屈折率変化の限界を超えてしまい、位相を調節する等の高度な制御が必要とされる。しかしながら、本実施形態に係る光反射部は上述のように、非常に小さい反射を起こすことを目的としている。このため、屈折率分布を周期の異なる複数の屈折率格子構造を線形に足して重ね合わせたものとして容易に作成可能である。
【００３０】
次に、光反射部（２０−１〜２０−ｎ及び３０−１〜３０−４）の反射波長の設定について説明する。  
図４は、式（３）に基づいて算出された格子長Ｌと波長スペクトルの幅（反射波長幅）Δλの関係を示す図である。図４に示すグラフでは、横軸は格子長Ｌを、縦軸は反射波長幅Δλを表す。  
図４において、グラフｄ１は、Δｎη＝０．０００１の場合の格子長Ｌと反射波長幅の関係を示している。同様にグラフｄ２は、Δｎη＝０．０００５の場合の格子長Ｌと反射波長幅の関係を示している。またグラフｄ３はΔｎη＝０．００１の場合、グラフｄ４はΔｎη＝０．００３の場合、グラフｄ５はΔｎη＝０．００５の場合の格子長Ｌと反射波長幅の関係を示している。図４に示すように、格子長Ｌが大きくなるほど反射波長幅Δλは減少し、一定の値に収束する。
【００３１】
グラフｄ１で表されるように、Δｎη＝０．０００１の場合、格子長Ｌ＝３ｍｍの光反射部の反射波長幅はΔλ＝３ｎｍとなる。各波長について、反射波の有無を１ｂｉｔで表すこととすれば、用いる反射波長帯域をΔλtotal、使用可能なビット数をＢ、1つの波長での反射波長幅をΔλとすると、以下の式（４）が満たされるように反射波長幅を設定できる。
【００３２】
【数４】
2011149807.tif 000006
このように、式（２）より反射率Ｒ及び反射波長幅Δλが設定できる。
式（２）及び式（３）より屈折率格子の深さΔｎηを消してまとめると、以下の式（５）が得られる。
【００３３】
【数５】
2011149807.tif 000007
図５は、式（５）に基づいて算出された反射率Ｒと反射波長幅Δλの関係を示す図である。図５のグラフでは、横軸は反射率Ｒを、縦軸は反射波長幅Δλを表す。  
図５において、グラフｆ１は、格子長Ｌ＝０．３ｃｍの場合の反射率Ｒと反射波長幅の関係を示している。同様にグラフｆ２は、格子長Ｌ＝０．５ｃｍの場合の反射率Ｒと反射波長幅Δλの関係を示している。またグラフｆ３はＬ＝１ｃｍの場合、グラフｆ４はＬ＝２ｃｍの場合、グラフｆ５はＬ＝３ｃｍの場合、グラフｆ６はＬ＝５ｃｍの場合、及びグラフｆ７はＬ＝１０ｃｍの場合の反射率Ｒと反射波長幅Δλの関係を示している。
【００３４】
反射率Ｒが約−５ｄＢ以下になると、式（６）のように反射波長幅Δλの値はλB2/Ｌに収束する。このため、図５に示すように、反射波長幅Δλを示すグラフは反射率Ｒ＝５ｄＢ以下では定常的になる。従って、反射率Ｒ＝−５ｄＢ以下では、反射波長幅Δλは格子長Ｌにのみ依存する。
【００３５】
【数６】
2011149807.tif 000008
以上の式（２）〜（６）をまとめて、以下の式（７）が得られる。
【００３６】
【数７】
2011149807.tif 000009
図６は、式（７）に基づいて算出された反射波長幅Δλと反射率Ｒの関係を示す図である。図６に示すグラフでは、横軸は反射波長幅Δλを、縦軸は反射率Ｒを表す。  
図６において、グラフｇ１は、屈折率格子の深さがΔｎη＝０．０００１の場合の反射波長幅Δλと反射率Ｒの関係を示している。同様にグラフｇ２は、Δｎη＝０．０００５の場合の反射波長幅Δλと反射率Ｒの関係を示している。またグラフｇ３はΔｎη＝０．００１の場合、グラフｇ４はΔｎη＝０．００３の場合、グラフｇ５はΔｎη＝０．００５の場合の反射波長幅Δλと反射率Ｒの関係を示している。図６に示すように、反射波長幅Δλが増加するほど、反射率Ｒが低下している。  
この図６に示すグラフと、式（５）あるいは（６）とを用いて、光設備の識別に適した格子長Ｌ、反射率Ｒ、及び反射波長幅Δλを設定することができる。
【００３７】
次に、光線路上に設置される光反射部の個数と反射率の関係について、説明する。  
光線路上において、光反射光分布測定器１０から数えてＮ番目に設置された光反射部Ｎからの反射光の反射率ＲNは、以下の式（８）によって表される。
【００３８】
【数８】
2011149807.tif 000010
図７は、光反射部の個数Ｎと反射光強度の関係を示す図である。図７に示すグラフでは、横軸は光反射部の個数Ｎを、縦軸は反射光強度（単位：ｄＢ）を表す。
図７において、グラフｈ１は、光反射部１個あたりの反射率がＲ＝−１０ｄＢの場合の光反射部の数Ｎと反射光強度の関係を示している。同様にグラフｈ２は、光反射部１個あたりの反射率がＲ＝−１５ｄＢの場合の光反射部の数Ｎと反射光強度関係を示している。またグラフｈ３はＲ＝−２０ｄＢの場合、グラフｈ４はＲ＝−２５ｄＢの場合、グラフｈ５はＲ＝−３０ｄＢの場合、グラフｈ６はＲ＝−３５ｄＢの場合、グラフｈ７はＲ＝−４０ｄＢの場合、及びグラフｈ８はＲ＝−４５ｄＢの場合の光反射部の数Ｎと反射光強度の関係を示している。
【００３９】
図７に示すように、光反射部１個当たりの反射率Ｒが小さいほど（すなわち、反射率Ｒの絶対値が大きいほど）、Ｎ番目の光反射部からの反射光強度の劣化が小さい、すなわち、遠方の光反射部からの反射光の劣化が小さいことがわかる。光反射部１個当りの反射率Ｒが小さいほど、光反射光分布測定器１０から遠方の光反射部からの反射光であっても、近傍の光反射部からの反射光とほぼ同じ強度で受光されることがわかる。
【００４０】
続いて、光反射部の具体的な設計例について説明する。以下では、反射波長帯域Δλtotal＝１０ｎｍ、必要ビット数Ｂ＝１６ｂｉｔ、測定器の感度：−６０ｄＢ、光線路上に設置された光反射部の個数Ｎ＝１００という条件を仮定する。
反射波長帯域がΔλtotal＝１０ｎｍ、必要ビット数がＢ＝１６ｂｉｔであるため、式（４）よりΔλ≦１０ｎｍ／１６＝０．６２５nmが得られ、反射波長幅Δλは０．６２５ｎｍ以下である必要がある。ここでは、反射波長幅Δλ＝０．６２５ｎｍと設定する。
【００４１】
また式（６）より、格子長さＬは、Ｌ＝１６５０２／０．６２５＝４．４ｍｍとして求められる。
測定器の感度：−６０ｄＢ、光線路上に設置された光反射部の個数Ｎ＝１００という条件は、１００個目の光反射部からの反射光強度が−６０ｄＢ以上である必要があるということを意味する。従って図７より、Ｎ＝１００で反射光強度が−６０ｄＢ以上であるためには、光反射部１個あたりの反射率Ｒは、−１５ｄＢ以下である必要がある（グラフｈ２〜ｈ８に相当）。
【００４２】
従って、式（７）より、Δｎηは２．１×１０−５以下に設定する必要がある。ηはコアを導波する光のパワーの割合であり、ほとんど1に近い値である。このため、格子の屈折率差Δｎをおおよそ２．１×１０−５以下として光反射部の格子を作成することができる。
【００４３】
次に、格子の作成方法について説明する。上述したように、一般的に多波長反射屈折率格子を作成する場合には、位相制御などの高度な作成方法が必要である。しかしながら、本実施形態に係る光設備識別システムでは、例えば上述のように、光反射部１個当りの反射率が−１５ｄＢ程度で充分であるため、紫外線を光ファイバに当てて作成する屈折率格子の深さは十分小さくて済む。
【００４４】
従って、例えばＢ＝１６ｂｉｔに設定して、１６種類の反射波長を用いる光設備識別を利用する場合、以下のように光反射部の格子構造を作成することができる。すなわち、１６種類の波長に対応した周期を持つ１６種類の位相マスクを用意して、1つ目のマスクを用いて紫外線を照射し、次に２つ目のマスクを用いて紫外線を照射して…と順次マスクを変えながら紫外線を重ねて照射する。このようにして線形に重ね合わされた屈折率格子を作成し、多波長反射部を作成することができる。すなわち、異なる波長を反射する屈折率格子構造を持つようにした紫外線照射を重ねて行うことにより、単一の格子から、複数の反射波長を反射する格子構造が設計できる。
【００４５】
必要ビット数Ｂだけ用意された反射波長を測定できるような多波長ＯＴＤＲや多波長ＯＦＤＲ(optical frequency domain reflectometer)を光反射光分布測定器１０として用いれば、ある位置に設置された光反射部からの反射光スペクトルを測定すると、例えば図８に示すような測定結果が得られる。
【００４６】
光反射部からは複数の波長の入射光が反射されて、光反射光分布測定器１０によって検出される。反射波長の検出結果を１ビットで表せば（例えば反射波が検出された場合を１とし、検出されない場合を０で表す）、光反射部の設置箇所の設備情報をデジタル信号として表現することが可能になる。
【００４７】
図８に示す例では、ある光反射部からの反射光検出結果を４ｂｉｔで符号化してデジタル信号としている。この例では、波長λ１、λ２及びλ４の反射光が検出され、波長λ３の反射光は検出されていないので、測定結果を表すデジタル信号は「１１０１」と符号化される。この符号を設備の種類等の設備情報を対応させておけば（例えば、符号「１１０１」がメカニカルスプライスを表す等を設定する）、光反射部からの反射光を測定することで、光線路上に設置された光設備やその位置を識別することが可能となる。
【００４８】
また、光設備の種類に限らず、光反射部が挿入された光設備の設置場所が架空なのか、地下なのか、またクロージャに入っているか、等の設置環境の情報をも識別できる。
従って、例えば光コネクタであることを示す符号（コード）を埋め込んだ光反射部を光コネクタ内に挿入しておけば、遠隔の光反射光分布測定器１０によっても当該光コネクタを識別及び監視することができる。
【００４９】
また、メカニカルスプライス接続であることを示すコードを埋め込んだ光反射部をメカニカルスプライス接続の内部に挿入しておけば、光反射光分布測定器１０によって光線路上のメカニカルスプライス接続を識別及び監視することができる。
同様に、光分岐線路において分岐部のコネクタに、分岐部のコネクタであることを示すコードを埋め込んだ光反射部を挿入しておけば、光反射光分布測定器１０によって光線路上の分岐部のコネクタ接続を識別及び監視することができる。
【００５０】
更に、設置環境に関する情報を符号化して埋め込んだ光反射部を光線路上に挿入しておけば、光反射光分布測定器１０によって光線路上の当該環境情報を識別及び監視することができる。
以上述べたように、本実施形態に係る光設備識別システムでは、通信光とは異なる波長の光を用いて識別できる光反射部を光設備点に挿入し、光線路上の設備情報を遠隔から識別し、監視する。識別に用いられる入射光の波長は通信光の波長とは異なるため、通信の伝送特性を劣化させない。光反射部のサイズは１ｃｍ以下のオーダーで設計される。光反射部は、弱い反射を複数の反射波長で起こすことが可能な、紫外線を重ねて印加した格子構造を内蔵している。このため複数波長による符号化が可能となる。
【００５１】
本実施形態において用いられる光反射部は、光線路上の多数の設備点に設置することが可能である。このため、光線路状に設けられた光設備の細かな設備情報や位置情報を、多ビットの符号によって符号化して表すことができる。また測定は、設備点より遠隔に設けられた光反射光分布測定器１０によって行うことが可能である。符号化を行なうのは設備情報に限らず、光線路上の様々な情報の遠隔検出にも応用が可能である。
【００５２】
また本実施形態に係る光設備識別システムでは、光反射部の格子構造は、低い反射率に抑えられている。このため、光反射部を複数光線路上に設置しても、遠方の光反射部からの反射光を光反射光分布測定器１０によって測定できる。
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組合せにより種種の発明を形成できる。例えば、実施形態例に示される全構成要素からいくつかの構成要素を削除しても良い。更に、異なる実施形態例に亘る構成要素を適宜組み合わせても良い。
【符号の説明】
【００５３】
１０…光反射光分布測定器、Ｆ…光ファイバ、２０−１〜２０−ｎ…光反射部。
【図１】
2011149807.tif 000011
【図２】
2011149807.tif 000012
【図３】
2011149807.tif 000013
【図４】
2011149807.tif 000014
【図５】
2011149807.tif 000015
【図６】
2011149807.tif 000016
【図７】
2011149807.tif 000017
【図８】
2011149807.tif 000018